(57)【特許請求の範囲】
【請求項１】
発側ＩＰ端末あるいは着側ＩＰ端末がそれぞれ接続された各スイッチと、これらスイッチにネットワークを介して接続可能な試験サーバと、を備え、
前記試験サーバが、前記各スイッチに前記発側ＩＰ端末あるいは前記着側ＩＰ端末に対する接続を試験サーバに切り替えるよう指令を発し、これにより当該試験サーバに接続された各スイッチ間にて接続可能か否か呼試験信号を送信して呼試験を行う試験呼生成手段を備えると共に、
前記各スイッチが、前記試験サーバからの接続切替指令に応じて前記発側ＩＰ端末あるいは前記着側ＩＰ端末に対する接続を試験サーバに切り替えるよう設定する接続切替設定手段をそれぞれ備え、
前記各接続切替設定手段は、前記発側ＩＰ端末あるいは前記着側ＩＰ端末が接続された前記各スイッチ内の所定のポートから前記各ＩＰ端末が属する各バーチャルＬＡＮを切り離すと共に、当該各バーチャルＬＡＮを前記試験サーバが接続されているポートに追加して接続切替を行うよう設定する、
ことを特徴とする試験システム。
【請求項２】
前記各接続切替設定手段は、前記試験サーバにて送受信されるパケットに含まれるバーチャルＬＡＮタグを前記発側ＩＰ端末あるいは前記着側ＩＰ端末が属する各バーチャルＬＡＮを表すものに付け替えて接続切替を行うよう設定する、
ことを特徴とする請求項１記載の試験システム。
【請求項３】
前記試験サーバが、
前記試験呼生成手段によって接続された前記各スイッチの経路に関する情報を当該スイッチなどのネットワーク機器から収集して、これを記憶装置に記憶する経路管理手段と、
前記試験呼生成手段による試験結果と前記経路管理手段に記憶された情報とに基づいて、前記試験呼生成手段にて呼試験を行った経路上に位置する他のスイッチ間にて呼試験を行うよう前記試験呼生成手段に指示する再試験指示手段と、を備えた、
ことを特徴とする請求項１又は２記載の試験システム。
【請求項４】
前記再試験指示手段は、前記試験呼生成手段による試験結果が導通不可である場合に再試験を指示するよう作動する、ことを特徴とする請求項３記載の試験システム。
【請求項５】
前記試験サーバは、当該試験サーバに接続された前記各スイッチ間における通信品質試験を行う品質測定手段を備えた、ことを特徴とする請求項１，２，３又は４記載の試験システム。
【請求項６】
前記品質測定手段は、通話品質を計測する、ことを特徴とする請求項５記載の試験システム。
【請求項７】
前記試験サーバが、
前記試験呼生成手段によって接続された前記各スイッチの経路に関する情報を当該スイッチなどのネットワーク機器から収集して、これを記憶装置に記憶する経路管理手段と、
前記品質測定手段による計測結果と前記経路管理手段に記憶された情報とに基づいて、前記品質測定手段にて計測を行った経路上に位置する他のスイッチ間の接続を確立して品質計測を行うよう前記試験呼生成手段及び前記品質測定手段に指示する再計測指示手段を備えた、
ことを特徴とする請求項５又は６記載の試験システム。
【請求項８】
前記再計測指示手段は、前記品質測定手段による品質測定結果が予め定められた基準を満たさない場合に再計測を行うよう指示する、ことを特徴とする請求項７記載の試験システム。
【請求項９】
発側ＩＰ端末あるいは着側ＩＰ端末がそれぞれ接続された各スイッチと、これらスイッチにネットワークを介して接続可能な試験サーバと、を備え、
前記試験サーバが、前記各スイッチに前記発側ＩＰ端末あるいは前記着側ＩＰ端末に対する接続を試験サーバに切り替えるよう指令を発し、これにより当該試験サーバに接続された各スイッチ間にて接続可能か否か呼試験信号を送信して呼試験を行う試験呼生成手段を備えると共に、
前記各スイッチが、前記試験サーバからの接続切替指令に応じて前記発側ＩＰ端末あるいは前記着側ＩＰ端末に対する接続を試験サーバに切り替えるよう設定する接続切替設定手段をそれぞれ備え、
前記試験サーバが、
前記試験呼生成手段によって接続された前記各スイッチの経路に関する情報を当該スイッチなどのネットワーク機器から収集して、これを記憶装置に記憶する経路管理手段と、
前記試験呼生成手段による試験結果と前記経路管理手段に記憶された情報とに基づいて、前記試験呼生成手段にて呼試験を行った経路上に位置する他のスイッチ間にて呼試験を行うよう前記試験呼生成手段に指示する再試験指示手段と、を備えた、
ことを特徴とする試験システム。
【請求項１０】
発側ＩＰ端末あるいは着側ＩＰ端末がそれぞれ接続された各スイッチと、これらスイッチにネットワークを介して接続可能な試験サーバと、を備え、
前記試験サーバが、前記各スイッチに前記発側ＩＰ端末あるいは前記着側ＩＰ端末に対する接続を試験サーバに切り替えるよう指令を発し、これにより当該試験サーバに接続された各スイッチ間にて接続可能か否か呼試験信号を送信して呼試験を行う試験呼生成手段を備えると共に、
前記各スイッチが、前記試験サーバからの接続切替指令に応じて前記発側ＩＰ端末あるいは前記着側ＩＰ端末に対する接続を試験サーバに切り替えるよう設定する接続切替設定手段をそれぞれ備え、
前記試験サーバは、
当該試験サーバに接続された前記各スイッチ間における通信品質試験を行う品質測定手段と、
前記試験呼生成手段によって接続された前記各スイッチの経路に関する情報を当該スイッチなどのネットワーク機器から収集して、これを記憶装置に記憶する経路管理手段と、
前記品質測定手段による計測結果と前記経路管理手段に記憶された情報とに基づいて、前記品質測定手段にて計測を行った経路上に位置する他のスイッチ間の接続を確立して品質計測を行うよう前記試験呼生成手段及び前記品質測定手段に指示する再計測指示手段と、を備えた、
ことを特徴とする試験システム。
【請求項１１】
発側ＩＰ端末あるいは着側ＩＰ端末がそれぞれ接続された各スイッチにネットワークを介して接続可能な試験サーバであって、
前記各スイッチに前記発側ＩＰ端末あるいは前記着側ＩＰ端末に対する接続を試験サーバに切り替えるよう指令を発し、これにより当該試験サーバに接続された各スイッチ間にて接続可能か否か呼試験信号を送信して呼試験を行う試験呼生成手段と、
前記試験呼生成手段によって接続された前記各スイッチの経路に関する情報を当該スイッチなどのネットワーク機器から収集して、これを記憶装置に記憶する経路管理手段と、
前記試験呼生成手段による試験結果と前記経路管理手段に記憶された情報とに基づいて、前記試験呼生成手段にて呼試験を行った経路上に位置する他のスイッチ間にて呼試験を行うよう前記試験呼生成手段に指示する再試験指示手段と、を備えた、
ことを特徴とする試験サーバ。
【請求項１２】
発側ＩＰ端末あるいは着側ＩＰ端末がそれぞれ接続された各スイッチにネットワークを介して接続可能な試験サーバであって、
前記各スイッチに前記発側ＩＰ端末あるいは前記着側ＩＰ端末に対する接続を試験サーバに切り替えるよう指令を発し、これにより当該試験サーバに接続された各スイッチ間にて接続可能か否か呼試験信号を送信して呼試験を行う試験呼生成手段と、
試験サーバに接続された前記各スイッチ間における通信品質試験を行う品質測定手段と、
前記試験呼生成手段によって接続された前記各スイッチの経路に関する情報を当該スイッチなどのネットワーク機器から収集して、これを記憶装置に記憶する経路管理手段と、
前記品質測定手段による計測結果と前記経路管理手段に記憶された情報とに基づいて、前記品質測定手段にて計測を行った経路上に位置する他のスイッチ間の接続を確立して品質計測を行うよう前記試験呼生成手段及び前記品質測定手段に指示する再計測指示手段と、を備えた、
ことを特徴とする試験サーバ。
【請求項１３】
発側ＩＰ端末あるいは着側ＩＰ端末が接続されたスイッチであって、
ネットワークを介して接続された呼試験を行う試験サーバからの指令に応じて、前記発側ＩＰ端末あるいは前記着側ＩＰ端末に対する接続を前記試験サーバに切り替えるよう設定する接続切替設定手段を備え、
前記接続切替設定手段は、前記発側ＩＰ端末あるいは前記着側ＩＰ端末が接続された前記スイッチ内の所定のポートから前記ＩＰ端末が属するバーチャルＬＡＮを切り離すと共に、当該バーチャルＬＡＮを前記試験サーバが接続されているポートに追加して接続切替を行うよう設定する、
ことを特徴とするスイッチ。
【請求項１４】
発側ＩＰ端末あるいは着側ＩＰ端末がそれぞれ接続された各スイッチに対して、ネットワークを介して接続可能な試験サーバにて試験を行う方法であって、
前記試験サーバが、前記各スイッチに前記発側ＩＰ端末あるいは前記着側ＩＰ端末に対する接続を試験サーバに切り替えるよう指令を発し、
この指令に応じて、前記各スイッチが前記発側ＩＰ端末あるいは前記着側ＩＰ端末に対する接続を試験サーバに切り替えるよう設定し、
その後、前記試験サーバが、当該試験サーバに接続された各スイッチ間にて接続可能か否か呼試験信号を送信して呼試験を行い、
前記スイッチによる接続切替の設定は、前記発側ＩＰ端末あるいは前記着側ＩＰ端末が接続された前記各スイッチ内の所定のポートから前記各ＩＰ端末が属する各バーチャルＬＡＮを切り離すと共に、当該各バーチャルＬＡＮを前記試験サーバが接続されているポートに追加して接続切替を行うよう設定する、
ことを特徴とする試験方法。
【請求項１５】
発側ＩＰ端末あるいは着側ＩＰ端末がそれぞれ接続された各スイッチに対して、ネットワークを介して接続可能な試験サーバにて試験を行う方法であって、
前記試験サーバが、前記各スイッチに前記発側ＩＰ端末あるいは前記着側ＩＰ端末に対する接続を試験サーバに切り替えるよう指令を発し、
この指令に応じて、前記各スイッチが前記発側ＩＰ端末あるいは前記着側ＩＰ端末に対する接続を試験サーバに切り替えるよう設定し、
その後、前記試験サーバが、当該試験サーバに接続された各スイッチ間にて接続可能か否か呼試験信号を送信して呼試験を行い、
前記試験サーバが、前記呼試験によって接続された前記各スイッチの経路に関する情報を当該スイッチなどのネットワーク機器から収集して、所定の記憶装置に記憶し、
前記呼試験の後に、呼試験結果と前記記憶された経路に関する情報とに基づいて、呼試験を行った経路上に位置する他のスイッチ間にて呼試験を行う、
ことを特徴とする試験方法。
【請求項１６】
発側ＩＰ端末あるいは着側ＩＰ端末がそれぞれ接続された各スイッチに対して、ネットワークを介して接続可能な試験サーバにて試験を行う方法であって、
前記試験サーバが、前記各スイッチに前記発側ＩＰ端末あるいは前記着側ＩＰ端末に対する接続を試験サーバに切り替えるよう指令を発し、
この指令に応じて、前記各スイッチが前記発側ＩＰ端末あるいは前記着側ＩＰ端末に対する接続を試験サーバに切り替えるよう設定し、
その後、前記試験サーバが、当該試験サーバに接続された各スイッチ間にて接続可能か否か呼試験信号を送信して呼試験を行い、
前記呼試験の後に、前記試験サーバが当該試験サーバに接続された前記各スイッチ間における通信品質試験を行い、
前記試験サーバが、前記呼試験によって接続された前記各スイッチの経路に関する情報を当該スイッチなどのネットワーク機器から収集して、所定の記憶装置に記憶し、
前記通信品質測定の後に、当該計測結果と前記記憶された経路に関する情報とに基づいて、品質測定を行った経路上に位置する他のスイッチ間の接続を確立して品質計測を行う、
ことを特徴とする試験方法。
【請求項１７】
発側ＩＰ端末あるいは着側ＩＰ端末がそれぞれ接続された各スイッチにネットワークを介して接続可能な試験サーバの演算装置に、
前記各スイッチに前記発側ＩＰ端末あるいは前記着側ＩＰ端末に対する接続を試験サーバに切り替えるよう指令を発し、これにより当該試験サーバに接続された各スイッチ間にて接続可能か否か呼試験信号を送信して呼試験を行う試験呼生成手段と、
前記試験呼生成手段によって接続された前記各スイッチの経路に関する情報を当該スイッチなどのネットワーク機器から収集して、これを記憶装置に記憶する経路管理手段と、
前記試験呼生成手段による試験結果と前記経路管理手段に記憶された情報とに基づいて、前記試験呼生成手段にて呼試験を行った経路上に位置する他のスイッチ間にて呼試験を行うよう前記試験呼生成手段に指示する再試験指示手段と、
を実現するためのプログラム。
【請求項１８】
発側ＩＰ端末あるいは着側ＩＰ端末がそれぞれ接続された各スイッチにネットワークを介して接続可能な試験サーバの演算装置に、
前記各スイッチに前記発側ＩＰ端末あるいは前記着側ＩＰ端末に対する接続を試験サーバに切り替えるよう指令を発し、これにより当該試験サーバに接続された各スイッチ間にて接続可能か否か呼試験信号を送信して呼試験を行う試験呼生成手段と、
試験サーバに接続された前記各スイッチ間における通信品質試験を行う品質測定手段と、
前記試験呼生成手段によって接続された前記各スイッチの経路に関する情報を当該スイッチなどのネットワーク機器から収集して、これを記憶装置に記憶する経路管理手段と、
前記品質測定手段による計測結果と前記経路管理手段に記憶された情報とに基づいて、前記品質測定手段にて計測を行った経路上に位置する他のスイッチ間の接続を確立して品質計測を行うよう前記試験呼生成手段及び前記品質測定手段に指示する再計測指示手段と、
を実現するためのプログラム。
【請求項１９】
発側ＩＰ端末あるいは着側ＩＰ端末が接続されたスイッチの演算装置に、
ネットワークを介して接続された試験サーバからの指令に応じて、前記発側ＩＰ端末あるいは前記着側ＩＰ端末に対する接続を試験サーバに切り替えるよう設定する接続切替設定手段、を実現するためのプログラムであり、
前記接続切替設定手段は、前記発側ＩＰ端末あるいは前記着側ＩＰ端末が接続された前記スイッチ内の所定のポートから前記ＩＰ端末が属するバーチャルＬＡＮを切り離すと共に、当該バーチャルＬＡＮを前記試験サーバが接続されているポートに追加して接続切替を行うよう設定する、
プログラム。
【発明の詳細な説明】
【技術分野】
【０００１】
本発明は、試験システムにかかり、特に、ＩＰ電話の導通確認や品質測定を行う試験システムに関する。
【背景技術】
【０００２】
従来の電話サービスをＴＣＰ／ＩＰとＵＤＰ／ＩＰを用いて同様のサービスを行う場合には、各装置単位の接続性と品質の確認が必須である。接続性の確認として、ＳＩＰ信号（呼制御信号）とＲＴＰ信号（音声信号）の導通確認が挙げられる。また、品質の確認として、エンドツーエンド間のＲＴＰ信号の品質確認が挙げられる。
【０００３】
ここで、図１０に、従来のＶｏＩＰ網の一例を示す。この図の例では、各エッジネットワーク（Ｎ１０１、Ｎ１０２，Ｎ１０３）（地域交換局）がコアネットワーク（Ｎ１００）（中継網）に接続され、各エッジネットワーク内には、それぞれＩＰ電話端末１０１，１０２，１０３が接続されている。そして、各ＩＰ電話端末１０１，１０２，１０３は、それぞれ各エッジネットワーク内に設置されたＬ２ＳＷ（１１１，１１２，１１３）、ＳＩＰサーバ（１２１，１２２，１２３）、ルータ（１３１，１３２，１３３）を経由して、相手のＩＰ電話端末と接続可能となっている。ここで、Ｌ２ＳＷは、ＩＰ電話端末を２層レベルで接続するスイッチングハブであり、ルータは、ＳＩＰ信号やＲＴＰ信号等のＩＰパケットを経路表に従い転送するよう作動する。そして、ＳＩＰサーバは、図１０に示すように、コアネットワークＮ１００上のルータ（１４１，１４２，１４３）を介してＳＩＰ信号を元に相手を特定し、音声を相手のＩＰ電話端末と接続するよう作動する。
【０００４】
【特許文献１】特開２００３−２４４２３５号公報
【発明の開示】
【発明が解決しようとする課題】
【０００５】
しかしながら、上記ＶｏＩＰ網にてＴＣＰ／ＩＰとＵＤＰ／ＩＰ上で導通確認や品質測定を行う場合には、以下のような不都合が生じうる。まず、各ＳＩＰサーバ／ルータに信号の折り返し機能がないため、実際の導通確認は現地で行わなければならない。つまり、監視ポイントとなる各ＩＰ電話端末の近くに計測用機器を設置したり、実際に試験を行う者が出向いたりして、計測用機器間にて品質などの計測を行わなければならい。従って、各場所に出向いたり、計測機器の配備に手間やコストがかかる、という問題が生じる。
【０００６】
ここで、仮に、ＳＩＰサーバやルータに信号折り返し機能を設けたとしても、遠隔から導通確認を行うこととなるが、これでは、対象の端末と全く同じ条件にて試験を実施することができない、という問題が生じうる。
【０００７】
一方で、上記特許文献１には、ＩＰ電話端末自体に測定機器を内蔵する例が開示されており、かかるＩＰ電話端末内で信号を折り返し、種々の品質計測を行うよう構成されている。また、これらを管理サーバに送信し、品質管理を行う、というシステムが開示されている。しかし、上記文献記載のシステムでは、各ＩＰ電話端末に計測機器を内蔵しなければならず、端末のコストが増加する、という問題が生じうる。
【０００８】
さらに、従来例によると、ネットワーク中で故障が起きても、どの部分で発生しているか確認することが困難である。従って、適切な改善措置を図ることが困難である、という問題が生じる。
【０００９】
このため、本発明では、上記従来例の有する不都合を改善し、特に、個々のＩＰ端末のコストを増加させず、当該ＩＰ端末に対して遠隔から適切な試験を行うことができる呼試験システムを提供することをその目的とする。
【課題を解決するための手段】
【００１０】
そこで、本発明の一形態である試験システムは、
発側ＩＰ端末あるいは着側ＩＰ端末がそれぞれ接続された各スイッチと、これらスイッチにネットワークを介して接続可能な試験サーバと、を備え、
試験サーバが、各スイッチに発側ＩＰ端末あるいは着側ＩＰ端末に対する接続を試験サーバに切り替えるよう指令を発し、これにより当該試験サーバに接続された各スイッチ間にて接続可能か否か呼試験信号を送信して呼試験を行う試験呼生成手段を備えると共に、
各スイッチが、試験サーバからの接続切替指令に応じて発側ＩＰ端末あるいは着側ＩＰ端末に対する接続を試験サーバに切り替えるよう設定する接続切替設定手段をそれぞれ備えた、
ことを特徴としている。
【００１１】
そして、上記各スイッチが備えている接続切替設定手段は、発側ＩＰ端末あるいは着側ＩＰ端末が接続された各スイッチ内の所定のポートから各ＩＰ端末が属する各バーチャルＬＡＮを切り離すと共に、当該各バーチャルＬＡＮを試験サーバが接続されているポートに追加して接続切替を行うよう設定する、ことを特徴としている。さらに、具体的には、接続切替設定手段は、試験サーバにて送受信されるパケットに含まれるバーチャルＬＡＮタグを発側ＩＰ端末あるいは着側ＩＰ端末が属する各バーチャルＬＡＮを表すものに付け替えて接続切替を行うよう設定する、ことを特徴としている。
【００１２】
上記発明によると、まず、試験サーバから、発側ＩＰ端末が接続されたスイッチと、着側ＩＰ端末が接続されたスイッチとに、各ＩＰ端末に替えて試験サーバを接続するよう指示が出される。すると、各スイッチは、この指示に従って接続切替設定を行う。その後、試験サーバにて各スイッチ間にＳＩＰ試験信号が送信され、導通試験が行われる。これにより、各ＩＰ端末に近いネットワークへの入り口となるスイッチに、当該各ＩＰ端末に替わって遠隔からアクセスすることができ、これらＩＰ端末を用いた状況とほぼ同様の条件にて導通試験を行うことができ、当該試験を迅速かつ低コストにて行うことができる。特に、スイッチの接続切替を、ＩＰ端末に割り当てられているバーチャルＬＡＮ（ＶＬＡＮ）と同じＶＬＡＮを試験サーバが接続されているポートに割り振るため、ＩＰ端末と同じＳＩＰ−ＵＲＬおよびＩＰアドレスで試験サーバが試験を実施することができ、より高精度な試験を遠隔からであっても実施することができる。また、ＶＬＡＮタグを付け替えることによって行うことで、構成が容易となる。
【００１３】
また、試験サーバが、
試験呼生成手段によって接続された各スイッチの経路に関する情報を当該スイッチなどのネットワーク機器から収集して、これを記憶装置に記憶する経路管理手段と、
試験呼生成手段による試験結果と経路管理手段に記憶された情報とに基づいて、試験呼生成手段にて呼試験を行った経路上に位置する他のスイッチ間にて呼試験を行うよう試験呼生成手段に指示する再試験指示手段を備えた、
ことを特徴としている。
【００１４】
そして、上記再試験指示手段は、試験呼生成手段による試験結果が導通不可である場合に再試験を指示するよう作動する、ことを特徴としている。
【００１５】
これにより、試験結果に基づいて経路を細分化し、各スイッチ区間にてそれぞれ呼試験が繰り返される。従って、障害箇所をより精度よく特定することができる。
【００１６】
また、試験サーバは、当該試験サーバに接続された各スイッチ間における通信品質試験を行う品質測定手段を備えた、ことを特徴としている。特に、品質測定手段は、通話品質を計測する、ことを特徴としている。これにより、導通のみならず、通話品質をも試験することができ、サービスの向上を図ることができる。
【００１７】
また、試験サーバが、
試験呼生成手段によって接続された各スイッチの経路に関する情報を当該スイッチなどのネットワーク機器から収集して、これを記憶装置に記憶する経路管理手段と、
品質測定手段による計測結果と経路管理手段に記憶された情報とに基づいて、品質測定手段にて計測を行った経路上に位置する他のスイッチ間の接続を確立して品質計測を行うよう試験呼生成手段及び品質測定手段に指示する再計測指示手段を備えた、
ことを特徴としている。
【００１８】
そして、再計測指示手段は、品質測定手段による品質測定結果が予め定められた基準を満たさない場合に再計測を行うよう指示する、ことを特徴としている。
【００１９】
これにより、試験結果に基づいて経路を細分化し、各スイッチ区間にてそれぞれ試験サーバによる接続、呼試験、そして、品質測定が行われる。従って、障害箇所をより精度よく特定することができる。
【００２０】
また、本発明の他の形態である試験サーバは、
発側ＩＰ端末あるいは着側ＩＰ端末がそれぞれ接続された各スイッチにネットワークを介して接続可能な試験サーバであって、
各スイッチに発側ＩＰ端末あるいは着側ＩＰ端末に対する接続を試験サーバに切り替えるよう指令を発し、これにより当該試験サーバに接続された各スイッチ間にて接続可能か否か呼試験信号を送信して呼試験を行う試験呼生成手段を備えた、
ことを特徴としている。
【００２１】
また、本発明の他の形態であるスイッチは、
発側ＩＰ端末あるいは着側ＩＰ端末が接続されたスイッチであって、
ネットワークを介して接続された試験サーバからの指令に応じて、発側ＩＰ端末あるいは着側ＩＰ端末に対する接続を試験サーバに切り替えるよう設定する接続切替設定手段を備えた、
ことを特徴としている。
【００２２】
そして、本発明は、上記試験サーバ、あるいは、スイッチの演算装置に、上述した各手段を実現するためのプログラムでもある。
【００２３】
さらに、本発明の他の形態である試験方法は、
発側ＩＰ端末あるいは着側ＩＰ端末がそれぞれ接続された各スイッチに対して、ネットワークを介して接続可能な試験サーバにて試験を行う方法であって、
試験サーバが、各スイッチに発側ＩＰ端末あるいは着側ＩＰ端末に対する接続を試験サーバに切り替えるよう指令を発し、
この指令に応じて、各スイッチが発側ＩＰ端末あるいは着側ＩＰ端末に対する接続を試験サーバに切り替えるよう設定し、
その後、試験サーバが、当該試験サーバに接続された各スイッチ間にて接続可能か否か呼試験信号を送信して呼試験を行う、
ことを特徴としている。
【００２４】
そして、スイッチによる接続切替の設定は、発側ＩＰ端末あるいは着側ＩＰ端末が接続された各スイッチ内の所定のポートから各ＩＰ端末が属する各バーチャルＬＡＮを切り離すと共に、当該各バーチャルＬＡＮを試験サーバが接続されているポートに追加して接続切替を行うよう設定する、ことを特徴としている。
【００２５】
また、試験サーバが、呼試験によって接続された各スイッチの経路に関する情報を当該スイッチなどのネットワーク機器から収集して、所定の記憶装置に記憶し、
呼試験の後に、呼試験結果と記憶された経路に関する情報とに基づいて、呼試験を行った経路上に位置する他のスイッチ間にて呼試験を行う、ことを特徴としている。
【００２６】
さらに、呼試験の後に、試験サーバが当該試験サーバに接続された各スイッチ間における通信品質試験を行う、ことを特徴としている。このとき、試験サーバが、呼試験によって接続された各スイッチの経路に関する情報を当該スイッチなどのネットワーク機器から収集して、所定の記憶装置に記憶し、通信品質測定の後に、当該計測結果と前記記憶された経路に関する情報とに基づいて、品質測定を行った経路上に位置する他のスイッチ間の接続を確立して品質計測を行う、ことを特徴としている。
【００２７】
上記構成の試験サーバやスイッチ、プログラム、試験方法であっても、上述した試験システムと同様に作用するため、上記本発明の目的を達成することができる。
【発明の効果】
【００２８】
本発明は、以上のように構成され機能するので、これによると、ＩＰ端末に近いスイッチに遠隔からアクセスすることができ、ＩＰ端末に替わって当該ＩＰ端末を用いた状況とほぼ同様の条件にて導通試験等を行うことができるため、容易かつ低コストに試験を行うことができ、そして、より適切な試験結果を得ることができる、という従来にない優れた効果を有する。
【発明を実施するための最良の形態】
【００２９】
本発明は、呼制御プロトコルにＳＩＰを用いたＩＰ電話網における呼の試験システムであり、指定した条件（実際のユーザ（ＩＰ端末）と同じＳＩＰ−ＵＲＬ／ＩＰアドレス）を用いて発呼し、正常に接続できるかどうか、また、正常に接続できない場合や接続できても通話品質が低い場合は自動で問題となる箇所を特定できる、ことを特徴としている。また、試験システムから発呼を行う際には、このシステムが接続されているＬ２ＳＷの保守運用ＬＡＮポートのＶＬＡＮをユーザが使用するＶＬＡＮに切り替えて使用する、ことを特徴としている。以下、実施例にて構成及び動作について説明する。
【実施例１】
【００３０】
本発明の第１の実施例を、図１乃至図９を参照して説明する。図１は、試験システムの全体構成を示すブロック図である。図２は、試験サーバの構成を示す機能ブロック図であり、図３は、スイッチの構成を示す機能ブロック図である。図４乃至図８は、試験システムの動作を部分的に示す説明図であり、図９は、試験システム全体の動作を示すシーケンス図である。
【００３１】
［構成］
本発明である試験システムは、保守ネットワークＮ１上に設置された試験サーバ１と、各ＧＣ局Ｎ２，Ｎ３（地域交換局）内に設置されたスイッチ機器であるＬ２ＳＷ（符号３）と、を備えている。そして、各Ｌ２ＳＷ（３）には、ユーザが使用するＩＰ端末２１，２１が接続されている。また、各ＧＣ局Ｎ２，Ｎ３には、中継網Ｎ４が接続されており、ＳＩＰサーバ（５）が設置されている。さらに、上記各ネットワークＮ１，Ｎ２，Ｎ３には、ルータ（４）がそれぞれ設置されている。ここで、Ｌ２ＳＷは、ＩＰ電話端末を２層レベルで接続するスイッチングハブであり、ルータはＩＰネットワーク上のパケットの経路選択を行い、また、ＳＩＰサーバは、ＳＩＰプロトコルを使用したＩＰ電話端末間のネゴシエート等呼の制御を行う。
【００３２】
そして、上記ＩＰ端末２１，２２はＩＰ電話端末であり、これら端末間で通話が可能である。例えば、符号２１に示すＩＰ端末を発側とし、符号２２に示すＩＰ端末を着側とすると、発側ＩＰ端末からＳＩＰサーバ１、ＳＩＰサーバ２を介して着側ＩＰ端末２２が呼び出され、当該着側ＩＰ端末２２がこれに応答すると、発側ＩＰ端末２１と着側ＩＰ端末２２とのセッションが確立される。これにより、両端末２１，２２間にて通話を行うことができる。
【００３３】
本発明は、上述した各ＩＰ端末間の導通試験や品質計測を行うシステムであり、特に、試験サーバ１とＬ２ＳＷ（３）に特徴を有する。以下、詳述する。
【００３４】
まず、試験サーバ１の構成を図２に示す。試験サーバ１は、一般的なサーバコンピュータと同様に、ＣＰＵなどの演算装置１Ａと、ハードディスクなどの記憶装置を備えている。そして、演算装置１Ａには、所定のプログラムが組み込まれることにより、ＳＩＰ試験呼生成処理部１１と、品質測定処理部１２と、ルートマネージャ部１３と、が構築されている。また、記憶装置１Ｂには、加入者情報記憶部１４と、経路情報記憶部１５と、が形成されている。これらについてさらに詳述する。
【００３５】
ＳＩＰ試験呼生成処理部１１（試験呼生成手段）は、ＳＩＰを使った通信における試験呼の生成を行う。具体的には、まず、加入者情報記憶部１４に記憶されている管理情報など種々の情報から、電話番号などに基づいて加入者の位置情報を取得する。そして、加入者の位置情報に基づいて試験を行う対象となる発側ＩＰ端末２１と着側ＩＰ端末２２とに接続されているＬ２ＳＷ１、Ｌ２ＳＷ４の位置を特定する。続いて、発側ＩＰ端末２１と着側ＩＰ端末２２とに替わって、Ｌ２ＳＷ１とＬ２ＳＷ４に接続を要求する。このため、ＳＩＰ試験呼生成処理部１１は、図４に示すように、ルータ１からルータ２にトンネル接続し（符号６１参照）、Ｌ２ＳＷ１に割り込み操作を行う。ここでは、図６のＬ２ＳＷの構成図に示すように、Ｌ２ＳＷ１に対して、発側ＩＰ端末２１が属しているバーチャルＬＡＮ（ＶＬＡＮ）を、当該発側ＩＰ端末２１が接続されているＬＡＮポートから削除し、試験サーバ１が接続されているＬＡＮポートに、上記削除したＶＬＡＮを追加するよう、接続設定要求を行う。例えば、Ｌ２ＳＷがＶＬＡＮタギング方式を利用していることとすると、Ｌ２ＳＷには、パケット内に含まれているＶＬＡＮタグの付け替えを指示することで実現できる。つまり、発側ＩＰ端末２１及び着側ＩＰ端末２２に対するパケットをフィルタリングし、試験サーバ１からのパケットのＶＬＡＮタグは、発側ＩＰ端末２１から着側ＩＰ端末２２に送信されるよう付け替えることが、Ｌ２ＳＷ１に指示されることとなる。
【００３６】
同様に、ＳＩＰ試験生成処理部１１は、着側ＩＰ端末２２が接続されているＬ２ＳＷ４に対しても、ルータ１からルータ３にトンネル接続し（符号６２参照）、Ｌ２ＳＷ１に割り込み操作を行う。そして、着側ＩＰ端末２２が属しているＶＬＡＮを、当該着側ＩＰ端末２２が接続されているＬＡＮポートから削除し、試験サーバ１が接続されているＬＡＮポートに、上記削除したＶＬＡＮを追加するよう、接続設定要求を行う。
【００３７】
また、ＳＩＰ試験呼生成処理部１１は、各Ｌ２ＳＷ１，４に接続要求を行った後に、図５に示すように、Ｌ２ＳＷ１，４に対して実際にＳＩＰ試験信号７１を送信し、Ｌ２ＳＷ１とＬ２ＳＷ４の間で接続可能な否か導通試験を行う。このとき、試験サーバ１が各ＩＰ端末２１，２２に最も近い位置に接続された状態になるため、発側ＩＰ端末２１と同じ条件で発呼を行うことができ、また、着側ＩＰ端末２２宛ての呼を同じ条件で着信できる。
【００３８】
さらに、ＳＩＰ試験呼生成処理部１１は、試験結果が、導通可能であったか、導通不可であったか、ということを認識する機能を有する。そして、導通不可であった場合には、経路を細分化して再度試験を行うべく、経路特定のためにルートマネージャ部１３に通知する機能を有する。
【００３９】
そして、上記ＳＩＰ試験呼生成処理部１１は、呼制御時の導通確認を行うばかりでなく、正常に接続された端末間による通話終了後に、当該端末間による切断処理も正常に行えるかどうかの試験も行う機能を有する。例えば、接続されているＬ２ＳＷ間に終了信号を発し、これに基づいて切断が行えるかどうかを試験する。これにより、試験サーバ１は、後述する品質測定処理部１２による品質測定機能を含め、ＳＩＰによる一連の接続状況を試験する機能を備えていることとなる。
【００４０】
また、試験サーバ１内の品質測定処理部１２（品質測定手段）は、上記ＳＩＰ試験呼生成処理部１１にて接続が確立されたＬ２ＳＷ１とＬ２ＳＷ４との間にてＲＴＰ試験通信７２を行う。具体的には、品質測定処理部１２は、図７に示すように、クオリティディテクタ１，２にて構成され、クオリティディテクタ１がＬ２ＳＷ１にＲＴＰ信号７２を送信し、クオリティディテクタ２がＬ２ＳＷ４に送信されたＲＴＰ信号７２を受信し、通信の品質測定を行う。このとき、上述したように、Ｌ２ＳＷ１，４ではそれぞれＩＰ端末２１，２２に替わって接続するよう設定されているため、発側ＩＰ端末２１と着側ＩＰ端末２２とほぼ同じ条件にて品質測定を行うことができる。例えば、ＩＰ電話の総合音声伝送品質を表す数値であるＲ値を算出する。このＲ値は、具体的には、以下の式にて算出する。
【００４１】
Ｒ値＝Ｒｏ−Ｉｓ−Ｉｄ−Ｉｅ＋Ａ
ここで、Ｒｏは雑音の影響を考慮した信号の大きさを、Ｉｓはラウドネスや側音（電話機を通って送話口から受話口へ伝わる音）による劣化を、Ｉｄは遅延やエコーによる劣化を、Ｉｅは音質の劣化を表す。さらに、端末が携帯電話である場合の利便性などを考慮する補完値として、プラス要因のＡを定めている。かかるＲ値の算出方法については、ＩＴＵ−Ｔ  Ｇ．１０７にて標準化されているので、詳細は省略する。なお、上記Ｒ値は、品質測定処理部１２にて計測される値の一例であって、ＶｏＩＰ通信の遅延やジッタ等、他の品質を評価する値を計測してもよい。
【００４２】
また、品質測定処理部１２は、計測された値を評価する機能を有する。このため、計測された値を評価するための基準値を予め保持している。そして、計測値と基準値とを比較し、計測値が基準値に満たない場合には、経路を細分化して再度計測を行うべく、経路特定のためにルートマネージャ部１３に通知する機能を有する。
【００４３】
ルートマネージャ部１３（経路管理手段）は、ネットワークＮ１，Ｎ２，Ｎ３，Ｎ４上の各Ｌ２ＳＷや各ルータ、ＳＩＰサーバなどから、経路情報を取得し、その管理を行う。つまり、発側ＩＰ端末２１と着側ＩＰ端末２２との間における経路を経路情報記憶部１５に記憶管理する。例えば、ルータのルーティングテーブルおよびコンフィグレーションを参照することで算出する。
【００４４】
また、ルートマネージャ部１３は、導通確認の試験結果、品質計測の計測結果に基づいて、再度、経路を細分化して、試験、計測を行うようＳＩＰ試験呼生成処理部１１と品質測定処理部１２と、に指示を出し、再試験指示手段あるいは再計測指示手段としても機能する。例えば、図８に示すように、はじめに符号３１と３２に示すＬ２ＳＷ間で、エンドツーエンドの試験及び計測を行った後に、ＳＩＰ試験呼生成処理部１１から、あるいは、品質測定処理部１２からの通知により、導通確認が取れなかったり、あるいは、計測値が基準値よりも低かったりすると、経路途中にある別の符号３３に示すＬ２ＳＷにて経路を分断して、細分化する。つまり、符号３１と３３のＬ２ＳＷの間、及び、符号３３，３２のＬ２ＳＷの間の経路を新たに設定し、再度、各細分化された経路を測定区間として呼試験や品質計測を行うよう指示する。
【００４５】
従って、上記ルーツマネージャ部１３からの指示に応じて、上述したＳＩＰ試験呼生成処理部１１と品質測定処理部１２とは、新たな経路にて呼試験や品質計測を行う機能を有する。
【００４６】
ここで、図３に、スイッチングハブであるＬ２ＳＷの構成を示す。この図に示すように、Ｌ２ＳＷの演算装置３Ａには、所定のプログラムが組み込まれることで、設定変更指示受付処理部３１と、切替設定処理部３２と、データ通信処理部３３と、が構築されている。また、記憶装置３Ｂには、通信設定記憶部３４が形成されている。
【００４７】
設定変更指示受付処理部３１は、試験サーバ１からの設定指示を受け付けて切替設定処理部３２に渡す。そして、切替設定処理部３２（接続切替設定手段）が、図６を参照して上述したように、ＩＰ端末のＶＬＡＮをポートから切断し、試験サーバ１が接続されているポートに割り当てる、つまり、試験サーバ１からのパケットが、発側ＩＰ端末２１から着側ＩＰ端末２２に送信されたように見えるよう、ＶＬＡＮタグの付け替えるよう設定を行う。そして、かかる設定は通信設定記憶部３４に記憶される。また、データ通信処理部３３は、各ポートに送信されてきたパケットのＶＬＡＮタグを調べ、その情報通りにデータの受け渡しを行う。
【００４８】
［動作］
次に、上述した試験システムの動作を、図９にシーケンス図、及び、上述した他の図を参照して説明する。
【００４９】
まず、発側ＩＰ端末２１と着側ＩＰ端末２２との間で接続試験を行う場合、試験サーバ１は、これらが接続されているＬ２ＳＷ１，４の位置を管理情報などを参照して特定し、ルータを介してこれらにアクセスする。そして、各Ｌ２ＳＷ１，４に対して、発側ＩＰ端末２１と着側ＩＰ端末２２とが接続されているポートの接続設定を変更するよう要求する（ステップＳ１）。具体的には、発側ＩＰ端末２１が使用しているＶＬＡＮを当該発側ＩＰ端末２１が接続されているＬＡＮポートから削除し、ＳＩＰ試験呼サーバ１が接続されているＬＡＮポートに上記削除したＶＬＡＮを追加する。同様に、着側ＩＰ端末２２が使用しているＶＬＡＮを当該着側ＩＰ端末２２が接続されているＬＡＮポートから削除し、ＳＩＰ試験呼サーバ１が接続されているＬＡＮポートに上記削除したＶＬＡＮを追加する。すると、各Ｌ２ＳＷ１，４では、かかるポートの設定が行われる。
【００５０】
続いて、ＳＩＰ試験呼生成処理部１１は、発側ＩＰ端末２１に替わって接続されているＬ２ＳＷ１のポートから、着側ＩＰ端末２２に替わって接続されているＬ２ＳＷ４のポートに、ＳＩＰ試験信号を送信する（ステップＳ２）。これにより、試験サーバ１は、発側ＩＰ端末２１と同じ条件で発呼を行うことができ、また、着側ＩＰ端末２２と同じ条件で呼の着信を行うことができる。そして、試験サーバ１間にて呼を確立できる。
【００５１】
続いて、ＳＩＰ試験呼生成処理部１１は、導通を確認できると、その旨をルートマネージャ部１３に通知する（ステップＳ３）。するとルートマネージャ部１３は、Ｌ２ＳＷ１，４やＳＩＰサーバ１，２などから、経路情報を取得し、これを記憶管理する（ステップＳ４）。なお、この経路情報の取得は、導通試験結果や品質計測結果を受け取って、再試験、再計測が必要となってから行われてもよい。
【００５２】
続いて、ＳＩＰ試験呼生成処理部１１は、呼が確立しているＬ２ＳＷ１，４間にてＲＴＰ信号試験を行うよう、クオリティディテクタ１，２に指示する（ステップＳ５）。これを受けたクオリティディテクタ１は、Ｌ２ＳＷ１からＬ２ＳＷ４に送信するようＲＴＰ信号を送信する（ステップＳ６）。そして、クオリティディテクタ２が、かかる信号を、Ｌ２ＳＷ４から受信する（ステップＳ７）。こうして、双方向のＲＴＰ試験通信を行うことができた場合には、通話品質（ロス、ジッタ、Ｒ値等）の計測を行う。そして、さらに、通話品質の評価を行い、その結果をルートマネージャ部１３に通知する（ステップＳ８）。
【００５３】
このとき、正常に接続できたが通話品質が低い場合には、ルートマネージャ部１３がＲＴＰ試験通信がどの経路を通っているかを経路情報から調べ、かかる経路の間に位置する他のＩＰ端末を設定し、これに接続されているＬ２ＳＷの位置を確認する。そして、かかるＬ２ＳＷにて経路を細分化し、各細分化された経路を設定する（ステップＳ９）。そして、新たに設定された経路に対して、再度、呼試験（導通確認）や品質測定を行うよう、ＳＩＰ試験呼生成処理部１１とクオリティディテクタ１２に指示する（ステップＳ１０）。
【００５４】
かかる指示を受けたＳＩＰ試験呼生成処理部１１とクオリティディテクタ１２とは、上述同様に、各Ｌ２ＳＷに対して接続切替設定を行い、呼試験や品質測定を行う。そして、さらに得られた結果に基づいて、計測した品質同士を比較したり基準値と比較するなどして、品質の悪い経路や、正常に接続できなかった経路を特定する。そして、さらに細分化できるようであれば細分化し、上記試験を繰り返す。このようにして、最終的に、品質の悪い箇所を具体的に特定することができる。
【００５５】
なお、上記繰り返し行われる試験は、導通試験後に正常に接続できなかった場合にも行われうる。
【００５６】
また、上述した呼試験と品質試験が正常に終了した後に、さらに、接続されたＩＰ端末間にて、正常に通話が終了でき切断ができるかどうかの試験を、接続されているＬ２ＳＷ間に終了信号を発することにより行ってもよい。
【００５７】
このようにすることにより、上述した試験システムでは、エンドユーザ（ＩＰ端末）に近いＬ２ＳＷ（インターネットの入り口）に遠隔から操作可能な試験サーバを設置するため、現地に行かなくてもより適切な接続性試験を実施可能である。特に、Ｌ２ＳＷはユーザごとに異なるＶＬＡＮを割り当てているが、本発明では、試験サーバから発呼を行う際には、試験サーバが指定するユーザに割り当てられているＶＬＡＮと同じＶＬＡＮを試験サーバが接続されているポートに割り振るため、ユーザと同じＳＩＰ−ＵＲＬおよびＩＰアドレスで試験サーバが試験を実施可能であるため、より正確な試験や品質測定を行うことができる。
【００５８】
さらに、接続性試験の結果、接続品質が不良であった場合、接続性試験を行う区間を細分化して、細分化されたそれぞれの区間で再度接続性試験を行うことで、故障箇所をより具体的に検出することが可能となる。
【産業上の利用可能性】
【００５９】
本発明である試験システムは、ＩＰ電話の導入を行ったり、定期的な試験を行う場合に極めて有効であり、産業上の利用可能性を有する。
【図面の簡単な説明】
【００６０】
【図１】試験システムの全体構成を示すブロック図である。
【図２】試験サーバの構成を示す機能ブロック図である。
【図３】スイッチの構成を示す機能ブロック図である。
【図４】試験システムの動作を部分的に示す説明図であり、発側ＩＰ端末が接続されたスイッチに割り込み操作を行うときの様子を示す。
【図５】試験システムの動作を部分的に示す説明図であり、呼試験を行うときの様子を示す。
【図６】試験システムの動作を部分的に示す説明図であり、スイッチによる接続切替設定の様子を示す。
【図７】試験システムの動作を部分的に示す説明図であり、品質測定を行うときの様子を示す。
【図８】試験システムの動作を部分的に示す説明図であり、経路を細分化して再度試験を行うときの様子を示す。
【図９】試験システム全体の動作を示すシーケンス図である。
【図１０】従来例におけるＶｏＩＰ網の構成を示す概略図である。
【符号の説明】
【００６１】
１  試験サーバ
３  Ｌ２ＳＷ（スイッチ）
４  ルータ
５  ＳＩＰサーバ
１１  ＳＩＰ試験呼生成処理部（試験呼生成手段）
１２  品質測定処理部（品質測定手段、クオリティディテクタ）
１３  ルートマネージャ部（経路管理手段、再試験指示手段、再計測指示手段）
２１  発側ＩＰ端末
２２  着側ＩＰ端末
３１  設定変更指示受付処理部
３２  切替設定処理部（接続切替設定手段）
３３  データ通信処理部
【図１】
0004604915.tif 000002
【図２】
0004604915.tif 000003
【図３】
0004604915.tif 000004
【図４】
0004604915.tif 000005
【図５】
0004604915.tif 000006
【図６】
0004604915.tif 000007
【図７】
0004604915.tif 000008
【図８】
0004604915.tif 000009
【図９】
0004604915.tif 000010
【図１０】
0004604915.tif 000011